【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
複数の画像および各画像の色彩属性のデータを記憶する画像記憶手段と、
複数の音から構成される曲のデータを記憶する曲データ記憶手段と、
前記曲データ記憶手段に記憶されている曲データの内容を分析して曲の印象を表すパラメータを抽出し、それを色彩属性に対応する値に変換する曲分析手段と、
前記曲分析手段により変換された値に最も近い値の色彩属性を有する画像データを前記画像記憶手段から選択する画像選択手段と、
前記曲分析手段が分析した曲データに応じた楽譜の画像を表示するとともに、前記画像選択手段により選択された画像データを、対応する色彩属性に従って前記楽譜の背景画像として表示する画像表示手段と
を具備することを特徴とする楽譜表示装置。
【請求項２】
画像データを記憶する画像記憶手段と、
模範演奏の曲データを記憶する曲データ記憶手段と、
前記曲データ記憶手段に記憶されている曲データに応じた楽譜の画像を、所定の背景画像とともに表示する画像表示手段と、
ユーザによる演奏のデータを入力する演奏データ入力手段と、
前記演奏データ入力手段により入力された演奏データと前記曲データ記憶手段に記憶されている曲データとを比較して評価結果を発生する演奏評価手段と、
前記演奏評価手段が発生する評価結果に応じて補正される色彩属性に従って、前記背景画像の表示態様を変更する画像補正手段と
を具備することを特徴とする楽譜表示装置。
【請求項３】
前記曲分析手段は、曲を構成する各音の音長、音高および音量の値を基にして曲の印象を表すパラメータを抽出することを特徴とする請求項１に記載の楽譜表示装置。
【請求項４】
前記色彩属性は、画像の明度、彩度および色相であることを特徴とする請求項１又は２に記載の楽譜表示装置。
【請求項５】
複数の音から構成される曲のデータの内容を分析して曲の印象を表すパラメータを抽出し、それを色彩属性に対応する値に変換する曲分析処理と、
予め記憶されている複数の画像と各画像の色彩属性のデータの内で、前記曲分析処理により変換された値に最も近い値の色彩属性を有する画像データを選択する画像選択処理と、
前記曲分析処理により分析された曲データに応じた楽譜の画像を表示するとともに、前記画像選択処理により選択された画像データを、対応する色彩属性に従って前記楽譜の背景画像として表示する画像表示処理と
をコンピュータで実行させることを特徴とする楽譜表示プログラム。
【請求項６】
予め記憶されている曲データに応じた楽譜の画像を、所定の背景画像とともに表示する画像表示処理と、
ユーザによる演奏のデータを入力する演奏データ入力処理と、
前記演奏データ入力処理により入力された演奏データと前記予め記憶されている曲データとを比較して評価結果を発生する演奏評価処理と、
前記演奏評価処理により発生された評価結果に応じて補正される色彩属性に従って、前記画像表示処理にて表示された背景画像の表示態様を変更する画像補正処理と
をコンピュータで実行させることを特徴とする楽譜表示プログラム。
【手続補正２】
【補正対象書類名】明細書
【補正対象項目名】０００５
【補正方法】変更
【補正の内容】
【０００５】
上記目的を達成するため、請求項１に記載の発明では、複数の画像および各画像の色彩属性のデータを記憶する画像記憶手段と、複数の音から構成される曲のデータを記憶する曲データ記憶手段と、前記曲データ記憶手段に記憶されている曲データの内容を分析して曲の印象を表すパラメータを抽出し、それを色彩属性に対応する値に変換する曲分析手段と、前記曲分析手段により変換された値に最も近い値の色彩属性を有する画像データを前記画像記憶手段から選択する画像選択手段と、前記曲分析手段が分析した曲データに応じた楽譜の画像を表示するとともに、前記画像選択手段により選択された画像データを、対応する色彩属性に従って前記楽譜の背景画像として表示する画像表示手段とを具備することを特徴とする。
【手続補正３】
【補正対象書類名】明細書
【補正対象項目名】０００６
【補正方法】変更
【補正の内容】
【０００６】
請求項２に記載の発明では、画像データを記憶する画像記憶手段と、模範演奏の曲データを記憶する曲データ記憶手段と、前記曲データ記憶手段に記憶されている曲データに応じた楽譜の画像を、所定の背景画像とともに表示する画像表示手段と、ユーザによる演奏のデータを入力する演奏データ入力手段と、前記演奏データ入力手段により入力された演奏データと前記曲データ記憶手段に記憶されている曲データとを比較して評価結果を発生する演奏評価手段と、前記演奏評価手段が発生する評価結果に応じて補正される色彩属性に従って、前記背景画像の表示態様を変更する画像補正手段とを具備することを特徴とする。
【手続補正４】
【補正対象書類名】明細書
【補正対象項目名】０００７
【補正方法】変更
【補正の内容】
【０００７】
上記請求項１に従属する請求項３に記載の発明では、前記曲分析手段は、曲を構成する各音の音長、音高および音量の値を基にして曲の印象を表すパラメータを抽出することを特徴とする。
【手続補正５】
【補正対象書類名】明細書
【補正対象項目名】０００８
【補正方法】変更
【補正の内容】
【０００８】
上記請求項１又は２に従属する請求項４に記載の発明では、前記色彩属性は、画像の明度、彩度および色相であることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項５に記載の発明では、複数の音から構成される曲のデータの内容を分析して曲の印象を表すパラメータを抽出し、それを色彩属性に対応する値に変換する曲分析処理と、予め記憶されている複数の画像と各画像の色彩属性のデータの内で、前記曲分析処理により変換された値に最も近い値の色彩属性を有する画像データを選択する画像選択処理と、前記曲分析処理により分析された曲データに応じた楽譜の画像を表示するとともに、前記画像選択処理により選択された画像データを、対応する色彩属性に従って前記楽譜の背景画像として表示する画像表示処理とをコンピュータで実行させることを特徴とする。
【手続補正８】
【補正対象書類名】明細書
【補正対象項目名】００１１
【補正方法】変更
【補正の内容】
【００１１】
請求項６に記載の発明では、予め記憶されている曲データに応じた楽譜の画像を、所定の背景画像とともに表示する画像表示処理と、ユーザによる演奏のデータを入力する演奏データ入力処理と、前記演奏データ入力処理により入力された演奏データと前記予め記憶されている曲データとを比較して評価結果を発生する演奏評価処理と、前記演奏評価処理により発生された評価結果に応じて補正される色彩属性に従って、前記画像表示処理にて表示された背景画像の表示態様を変更する画像補正処理とをコンピュータで実行させることを特徴とする。
【手続補正９】
【補正対象書類名】明細書
【補正対象項目名】００１２
【補正方法】変更
【補正の内容】
【００１２】
請求項１、５に記載の発明によれば、曲データから曲の印象を表すパラメータを抽出して色彩属性に対応させた値に変換すると、その変換値に最も近い値の色彩属性を持つ画像データが選択され、選択された画像データを対応する色彩属性に従って楽譜の背景画像として表示する。したがって、楽譜化する曲の印象に相応しい画像が楽譜の背景として表示されるから、楽譜以外の情報を視覚的に表現出来るようになる。
【手続補正１０】
【補正対象書類名】明細書
【補正対象項目名】００１３
【補正方法】変更
【補正の内容】
【００１３】
請求項２、６に記載の発明によれば、演奏模範となる曲データに対して、ユーザ演奏で生じる演奏データの評価結果を発生すると、その評価結果に応じて補正される色彩属性に従って楽譜の背景として表示される画像の表示態様を異ならせる。この結果、ユーザの演奏結果に応じて、楽譜の背景となる画像の表示態様が変化する為、楽譜以外の情報を視覚的に表現することができる。
【手続補正１１】
【補正対象書類名】明細書
【補正対象項目名】００１４
【補正方法】削除
【補正の内容】
【手続補正１２】
【補正対象書類名】明細書
【補正対象項目名】００１９
【補正方法】変更
【補正の内容】
【００１９】
ＲＡＭ１３の曲データエリアには、各曲の属性を表す曲ヘッダＫＨ［０］〜ＫＨ［Ｎ］と、これらヘッダＫＨ［０］〜ＫＨ［Ｎ］に対応する曲データＫＤ［０］〜［Ｎ］とを備える。曲ヘッダＫＨは、図３に図示するように、対応する曲データＫＤを指定するポインタＰ、当該ポインタＰで指定される曲データＫＤ［Ｐ］のテンポＴｍｐ、調Ｋｅｙおよび拍子Ｂｅａｔから構成される。曲データＫＤは、図示していないが、曲を構成する各音の発音時刻、音長、音高および音量を有し、曲の終わりには終端を表すデータｅｎｄを備える。
【手続補正１３】
【補正対象書類名】明細書
【補正対象項目名】００３４
【補正方法】変更
【補正の内容】
【００３４】
（３）画像選択処理の動作
次に、図６を参照して画像選択処理の動作を説明する。上述したメインルーチンのステップＳＡ１０（図４参照）を介して本処理が実行されると、ＣＰＵ１１はステップＳＣ１に処理を進める。ステップＳＣ１では、次式（１）に基づき上述の曲分析処理にて求めた平均音長ｍｅａｎｌｅｎを明度Ｂｒｉに対応させた変換値Ａに変換する。同様に、ステップＳＣ２〜ＳＣ３では、次式（２）、（３）に基づき上述の曲分析処理にて求めた平均音高ｍｅａｎｐｉｔを彩度Ｓａｔに対応させた変換値Ｂに、上述の曲分析処理にて求めた平均音量ｍｅａｎｖｅｌを色相Ｈｕｅに対応させた変換値Ｃにそれぞれ変換する。
【手続補正１４】
【補正対象書類名】明細書
【補正対象項目名】００３９
【補正方法】変更
【補正の内容】
【００３９】
このように、画像選択処理では、前述の曲分析処理にて求めた曲の平均音長ｍｅａｎｌｅｎ（変換値Ａ）、平均音高ｍｅａｎｐｉｔ（変換値Ｂ）および平均音量ｍｅａｎｖｅｌ（変換値Ｃ）に最も近い明度Ｂｒｉ、彩度Ｓａｔおよび色相Ｈｕｅを有するヘッダＨＤ［ｍｉｎｐ］を画像データベースＩＤＢ（図２参照）から検索することで、曲の印象に相応しい背景画像が選択されるようになっている。